(57)【要約】【課題】夜間負荷対応専用の配管や熱源機及び熱交換器等の設置を不要とし、通常放熱運転時における配管および熱源機及び熱交換器等の兼用を可能とすることで設備の簡素化を図ることができるカプセル式潜熱蓄熱システムを提供する。【解決手段】熱源機２０を出た伝熱流体を循環管路を介して蓄熱槽１に通して蓄熱し、この蓄熱槽１を出た伝熱流体を、夜間の熱負荷に対応するようその一部または全量を制御された流量として熱交換器２８に導き、この熱交換器２８入口側の制御弁Ｖ５あるいは熱交換器２８の上、下流の間に接続されたバイパス管の制御弁Ｖ６を通した伝熱流体を、循環管路２５ｃを介して再び蓄熱槽１に戻るように構成し、夜間の蓄熱運転時には、制御弁Ｖ５を全閉とすると共に制御弁Ｖ６を全開とし、夜間の熱負荷対応時には制御弁Ｖ５及びＶ６の開度を熱負荷に応じて制御し、蓄熱・熱負荷対応同時運転を行なうようにすることで、夜間負荷対応専用の配管や熱源機及び熱交換器等の設置が不要となる。【選択図】    図１
2005069494.tif 000002
【特許請求の範囲】
【請求項１】
熱源機２０、蓄熱槽１、熱交換器２８、及び該各機器を結んで配管した伝熱流体循環管路２５ａ，２５ｂ，２５ｃを備え、蓄熱運転として上記熱源機２０と蓄熱槽１との間で伝熱流体を循環して熱源機２０の生成熱を蓄熱槽１に蓄熱し、放熱運転として上記蓄熱槽１と熱交換器２８との間で伝熱流体を循環して蓄熱槽１に貯えた熱量を上記熱交換器２８に放熱付与するカプセル式潜熱蓄熱システムに於いて、
熱源機２０を出た伝熱流体を循環管路２５ａ，２５ｂ，２５ｃを介して蓄熱槽１に通して蓄熱し、該蓄熱槽１を出た伝熱流体を、夜間の熱負荷に対応するようその一部または全量を制御された流量として熱使用機器２６側の熱交換器２８に導き、該熱交換器２８入口側の制御弁Ｖ５あるいは該熱交換器２８の上、下流の間に接続されたバイパス管の制御弁Ｖ６を通した伝熱流体を循環管路２５ｃを介して再び蓄熱槽１に戻るように構成し、蓄熱動作をするための夜間の蓄熱運転時には、上記制御弁Ｖ５を全閉とすると共に上記制御弁Ｖ６を全開とし、夜間の熱負荷対応時には上記制御弁Ｖ５及びＶ６の開度を上記熱負荷に応じて制御することで蓄熱・熱負荷対応同時運転を行なうにしたことを特徴とするカプセル式潜熱蓄熱システム。
【請求項２】
上記蓄熱槽１の出口側と上記熱使用機器２６側の熱交換器２８の入口間に接続された循環管路２５ｂの途中に、該循環管路２５ｂの管径より小径の伝熱管２４ａを平行に接続し、夜間の熱負荷対応時には上記伝熱流体を小径伝熱管２４ａに切替え小径伝熱管２４ａでの伝熱流体温度を適切に制御するようにした請求項１に記載の潜熱利用蓄熱装置。
【発明の詳細な説明】
【０００１】
【発明の属する技術分野】
本発明は、例えば建屋内を冷、暖房する空調システムや冷却、加熱を必要とするプロセスに適用し、電気料金の割安な夜間電力で熱源機を運転して蓄熱し、昼間の時間帯に放熱するカプセル式潜熱蓄熱システムに関する。
【０００２】
【従来の技術】
従来の熱源設備としての夜間負荷対応システムでは、図１０（Ａ）に示すように熱源機３２０、蓄熱槽３０１及び冷熱使用機器３２６側と熱交換する熱交換器３２８等をそれぞれバイパス管を介して循環管路３２５、３２７に直列に配置した夜間蓄熱ラインとは別に、図１０（Ｂ）に示す夜間負荷対応専用ラインとして、夜間負荷に対応するための専用の熱源機３２２、ポンプＰ３０２、配管系３２６等を必要としており、このため変動負荷に対しては熱源機のＯＮ、ＯＦＦ、あるいは容量制御動作で対応せざるを得ないことから熱源機のＣＯＰ（成績係数）が低い不安定な運転となり、ランニングコストが増加する部分負荷運転で対応していた。
【０００３】
また、蓄熱運転時における熱の一部を、夜間負荷に対応させることは従来から実施されているが、夜間負荷が昼間の負荷に比べて小さいことが多く、このため昼間の通常運転用の配管では口径が大き過ぎて温度計測が不安定になるなどの理由で、図１１に示すように昼間の通常放熱運転用配管および放熱用熱交換器とは別に専用の小口径の配管及び制御弁Ｖ５’，Ｖ６’を含む制御系と夜間負荷対応専用の熱交換器２８’などを設置せざるを得なかった。
【０００４】
この種の、従来の熱源設備として直膨式蓄熱槽、すなわちフロン冷媒をコイルチューブ等に流すことにより、コイルチューブ等の外回りにある蓄熱材と熱交換する蓄熱槽（特許文献１参照）や、フロン回路に２種類の膨張弁を設けて製氷用と冷房用の２種類の温度を作り出すもの（特許文献２参照）が提案されている。
【０００５】
【特許文献１】
特開平９−１５２２２５号公報（段落００５６、段落００６６図１）
【特許文献２】
特開２００１−３３０２７９号公報（段落００３１、図７）
【０００６】
【発明が解決しようとする課題】
そこで、本発明者等は、例えば氷蓄熱の夜間時における製氷運転温度（例えば−５℃）と昼間の空調温度（例えば＋５℃）の両者の温度差に着目し鋭意研究の結果、夜間の製氷温度（例えば−５℃）は製氷に用いられた後も冷房空調用として使用するのに十分低い温度（例えば−２℃）が保たれていることを見出し、本発明を完成させた。
【０００７】
従って、本発明の目的とするところは、夜間の蓄熱運転時に於ける熱エネルギーをそのまま熱負荷対応運転に適用することにより、蓄熱・熱負荷対応同時運転を達成することができるカプセル式潜熱蓄熱システムを提供することである。
また、本発明のもう一つの目的は、夜間負荷対応専用の配管や熱源機及び熱交換器等の設置を不要とし、通常放熱運転時における配管および熱源機及び熱交換器等の兼用を可能とすることで設備の簡素化を図ることができるカプセル式潜熱蓄熱システムを提供することである。
【０００８】
【課題を解決する為の手段】
上記目的を達成するために、本発明は次の技術的手段を有する。即ち、実施の形態に対応する添付図面に使用した符号を用いて説明すると、熱源機２０、蓄熱槽１、熱交換器２８、及び該各機器を結んで配管した伝熱流体循環管路２５ａ，２５ｂ，２５ｃを備え、蓄熱運転として上記熱源機２０と蓄熱槽１との間で伝熱流体を循環して熱源機２０の生成熱を蓄熱槽１に蓄熱し、放熱運転として上記蓄熱槽１と熱交換器２８との間で伝熱流体を循環して蓄熱槽１に貯えた熱量を上記熱交換器２８に放熱付与するカプセル式潜熱蓄熱システムに於いて、熱源機２０を出た伝熱流体を循環管路２５ａ，２５ｂ，２５ｃを介して蓄熱槽１に通して蓄熱し、該蓄熱槽１を出た伝熱流体を、夜間の熱負荷に対応するようその一部または全量を制御された流量として熱使用機器２６側の熱交換器２８に導き、該熱交換器２８入口側の制御弁Ｖ５あるいは該熱交換器２８の上、下流の間に接続されたバイパス管の制御弁Ｖ６を通した伝熱流体を循環管路２５ｃを介して再び蓄熱槽１に戻るように構成し、蓄熱動作をするための夜間の蓄熱運転時には、上記制御弁Ｖ５を全閉とすると共に上記制御弁Ｖ６を全開とし、夜間の熱負荷対応時には制御弁Ｖ５及びＶ６の開度を上記熱負荷に応じて制御することで蓄熱・熱負荷対応同時運転を行なうようにしたことを特徴とするカプセル式潜熱蓄熱システムである。
従って、夜間の熱負荷対応時には制御弁Ｖ５およびＶ６の開度を上記熱負荷に応じて制御し、蓄熱・熱負荷対応同時運転を行なうようにすることで、夜間の熱負荷対応専用の熱源システムの設置が不要となる。
【０００９】
また本発明は、上記蓄熱槽１の出口側と上記熱使用機器２６側の熱交換器２８の入口間に接続された循環管路２５ｂの途中に、該循環管路２５ｂの管径より小径の伝熱管２４ａを平行に接続し、夜間の熱負荷対応時には上記伝熱流体を小径伝熱管２４ａに切替え小径伝熱管２４ａでの伝熱流体温度を適切に制御するようにした潜熱利用蓄熱装置である。
従って、通常放熱運転時における配管および熱交換器２８を夜間の熱負荷対応運転時との兼用を可能とすることで設備の簡素化を図ることができる。
【００１０】
【発明の実施の形態】
以下、本発明の実施形態を添付図面に基づき詳細に説明する。
【００１１】
図１〜図５は本発明のカプセル式潜熱蓄熱システムに係る第１実施形態を示しており、図１は本発明の夜間の蓄熱運転時において夜間の熱負荷に対応する蓄熱・熱負荷対応同時運転時における説明図、図２は蓄熱槽の放熱ピーク時に熱源機を併用運転している放熱運転時の説明図、図３は蓄熱槽単独運転における放熱運転時の説明図、図４は熱源機単独運転における熱負荷対応運転時の説明図、図５は夜間の蓄熱運転時、夜間負荷がない場合における説明図である。
【００１２】
最初に熱使用機器として、冷房，冷凍装置に適用した例に付き図９を参照して説明する。
【００１３】
図９の（Ａ）〜（Ｃ）における符号１は、本発明のカプセル式蓄熱槽であって、このカプセル式蓄熱槽１（以下蓄熱槽１と称する）は、円筒形あるいは矩形の胴体２と、円筒形の場合では上下あるいは左右両端に取着された胴体蓋４，５とを有している。
【００１４】
円筒形の場合では、上下あるいは左右両端の胴体蓋４，５中央には夫々上下の接続口６，８が設けられており、これら上下の接続口６，８には図示しない伝熱管が接続されている。上記胴体蓋４，５の内部には、上下の接続口６，８に対向して配設された伝熱媒体の分散器１０，１２が設置されており、これら分散器１０，１２には、胴体内部１６に伝熱媒体を拡散流通させる多数の小孔が形成されている。
【００１５】
上記分散器１０，１２によって仕切られる胴体２の内部には、周知の小球状蓄熱体１８（例えば特公平５−８１８３２号公報）が多数、密に充填されており、これら小球状蓄熱体１８は、相変化温度で液相から固相に変わる時に固化の潜熱として冷熱を蓄熱し、固相から液相に相変化する時に先に蓄熱した冷熱を放出する蓄熱材を球状のシェル内に封入したものであり、好適な蓄熱材としては、例えば、Ｈ２Ｏ（水）に発核剤を微量添加した組成物を主液としている。
【００１６】
勿論、温熱を対象とする場合には、小球状蓄熱体１８内に封入された蓄熱媒材は、相変化温度で融解した時に蓄熱し、凝固した時に凝固潜熱を放出する。
【００１７】
次に、図１〜図５に従い本発明の好適な第１実施形態に付き詳述する。
【００１８】
先ず、図１〜図５に示される共通の装置に付き説明する。以下に説明する全図において、開閉弁のバルブ記号は黒塗りが閉弁状態、白塗りが開弁状態、片側黒塗り、片側白塗りが開度調節（制御）状態を示している。図１〜図５に示す２０は冷熱源機であって、２２は冷熱を発生する冷凍機などの冷凍装置を示し、２８は冷熱使用機器２６側の熱交換器である。
【００１９】
図１に示すように、循環管路２５ｃと２５ａ間には、冷熱源機２０側の冷凍装置２２が接続されると共に、開閉弁Ｖ１を備えたバイパス管が接続されている。
また、循環管路２５ａと２５ｂ間には、蓄熱槽１が接続されると共に制御弁Ｖ３を備えたバイパス管が接続されている。そして、蓄熱槽１と制御弁Ｖ３を備えたバイパス管の合流点Ｂ１の下流側には、ブラインポンプＰ１が接続されている。
【００２０】
ブラインポンプＰ１に接続された循環管路２５ｂの下流には、冷熱使用機器２６側の熱交換器２８に接続されていて、この熱交換器２８の上流と下流の間にはバイパス管２７が接続されている。
【００２１】
冷熱使用機器２６は、例えば冷房装置などの空調機であって、この空調機は、熱交換器２８で冷やされた伝熱流体をポンプＰ３によってＩＮ側からＯＵＴ側に循環させる過程で放冷されるようになっている。
【００２２】
また、熱負荷対応時冷熱使用機器２６は、使用機器側の伝熱流体の温度を検知する温度センサ３０の検知温度によって流量を制御するため、熱交換器２８の入口側には制御弁Ｖ５が、バイパス管２７には制御弁Ｖ６がそれぞれ接続されており、熱交換器２８の出口に接続された循環管路２５ｃは冷凍装置２２に接続されている。
【００２３】
次に、上記のように構成された第１実施形態に係る一連の動作に付き図１を参照して説明する。
【００２４】
図１に示す夜間の冷熱蓄熱運転時における夜間の熱負荷に対応する蓄熱・熱負荷対応同時運転時では、開閉弁Ｖ１の閉塞によって、冷熱源機２０の冷凍装置２２から循環管路２５ａに出た伝熱媒体は、図中太線で示す管路を移動する。
【００２５】
冷熱蓄熱運転時間は、例えば、午後の１０時から翌朝８時までの１０時間運転であって、蓄熱・熱負荷対応同時運転時に於いては、冷熱源機２０の冷凍装置２２から出た低温の伝熱媒体は、図中太線で示すように循環管路２５ａ下流の制御弁Ｖ３の閉鎖により、制御弁Ｖ４を介して蓄熱槽１に通して蓄熱し、この蓄熱槽１を出た伝熱媒体は、ブラインポンプＰ１上流側の分岐点Ｂ１に至る。
【００２６】
ここで標準時における冷凍装置２２の入口温度約−２℃に対し、出口温度は約−５℃であり、蓄熱完了時における冷凍装置２２の入口温度約−４℃に対し、出口温度は−５〜−７℃となる。
【００２７】
循環管路２５ａ下流側の分岐点Ｂ１に合流した低温の伝熱媒体は、ブラインポンプＰ１の起動により循環管路２５ｂから制御弁Ｖ５を介して熱交換器２８を通過して放熱すると共に、バイパス管２７の制御弁Ｖ６を通過した伝熱媒体と共に循環管路２５ｃから再び冷凍装置２２に戻る。
【００２８】
従って、夜間の冷熱蓄熱運転時における夜間の熱負荷に対応する蓄熱・熱負荷対応同時運転時においては、夜間の冷熱負荷対応時には制御弁Ｖ５およびＶ６の開度を熱負荷である温度センサ３０の検知温度に応じて制御し、蓄熱・熱負荷対応同時運転を行なうようにすることで、夜間負荷対応専用の配管や熱源機及び熱交換器等の設置を不要とすることができる。
【００２９】
次に、図５に示す夜間の冷熱蓄熱運転時では、図１と同様に冷熱源機２０の冷凍装置２２から循環管路２５ａに出た伝熱媒体は、図中太線で示す管路を移動する。
【００３０】
ここで、同じ管路は同じ符号を付して重複する説明を省略するが、ブラインポンプＰ１を出た伝熱媒体は、制御弁Ｖ５を閉じることで冷熱使用機器２６側の制御弁Ｖ６を介してバイパス管２７を通り、循環管路２５ｃから再び冷凍装置２２に戻る。
【００３１】
従って、上記のように夜間の冷熱蓄熱運転時では、通常放熱運転時における循環管路２５ｂおよび熱交換器２８を夜間の冷熱負荷対応運転時との兼用を可能とすることで設備の簡素化を図ることができる。
【００３２】
次に図２は、熱負荷のピーク期に蓄熱槽と冷凍機を併用運転している放熱運転を示している。この場合の放熱運転時間は、例えば、朝の８時から２２時までの１４時間運転であって、冷熱源機２０の冷凍装置２２を出た伝熱媒体は、図中太線で示す管路を移動する。
【００３３】
ここで、ピーク期における冷凍装置２２の入口温度約１３℃に対し出口温度は８℃で蓄熱槽１の出口温度は４℃に設定される。
【００３４】
開閉弁Ｖ１の閉塞によって、冷熱源機２０の冷凍装置２２から循環管路２５ａに出た伝熱媒体は、温度センサー３１の検知温度に応じて制御される制御弁Ｖ３およびＶ４を分流通過し、合流点Ｂ１に至る。
【００３５】
循環管路２５ａ下流の分岐点Ｂ１に合流した伝熱媒体は、ブラインポンプＰ１の起動により循環管路２５ｂから制御弁Ｖ５を介して熱交換器２８を通過して放熱すると共に、バイパス管２７の制御弁Ｖ６を通過した伝熱媒体と共に循環管路２５ｃから再び冷凍装置２２に戻る。
【００３６】
次に図３は、蓄熱槽単独運転における放熱運転を示している。この蓄熱槽１の単独運転は、例えば、昼間の午後１３時から午後の１６時迄の３時間運転であって、蓄熱槽１を出た伝熱媒体は、図中太線で示す管路を移動する。ここで、蓄熱槽１の入口温度が約１３℃に対し出口温度が４℃に設定される。
【００３７】
蓄熱槽１を出た伝熱媒体は、分岐点Ｂ１で蓄熱槽１をバイパスした伝熱媒体と合流したのち、ブラインポンプＰ１の起動により循環管路２５ｂから制御弁Ｖ５を介して熱交換器２８を通過して放熱すると共に、バイパス管２７の制御弁Ｖ６を通過した伝熱媒体と共に循環管路２５ｃから冷熱源機２０、及びバイパスの開閉弁Ｖ１を通過し、再び蓄熱槽１に戻る。
【００３８】
次に図４は冷凍装置単独運転における冷房運転を示している。この冷凍装置の単独運転は、例えば、非常時または昼間、夜間時に運転され、開閉弁Ｖ１の閉塞によって、冷熱源機２０の冷凍装置２２から循環管路２５ａに出た伝熱媒体は、図中太線で示す管路を移動する。
【００３９】
冷熱源機２０の冷凍装置２２から循環管路２５ａに出た低温の伝熱媒体は、図中太線で示すように制御弁Ｖ３、分岐点Ｂ１を介してブラインポンプＰ１の起動により循環管路２５ｂから制御弁Ｖ５を介して熱交換器２８を通過して放熱すると共に、バイパス管２７の制御弁Ｖ６を通過した伝熱媒体と共に循環管路２５ｃから再び冷凍装置２２に戻る。
【００４０】
次に、図６〜図８は本発明のカプセル式潜熱蓄熱システムに係る第２実施形態を示しており、図６は本発明の夜間の蓄熱運転時において夜間の熱負荷に対応するため蓄熱・熱負荷対応同時運転とし、且つ熱交換器への供給温度を小径管部にて制御する場合の説明図、図７は昼間の冷房あるいは放熱運転時の小径配管部回りの説明図であり、図８は夜間負荷がない場合の夜間蓄熱運転時の小径配管部回りの説明図である。
【００４１】
先ず、夜間の熱負荷対応時における冷熱負荷使用機器２６側の熱交換器２８への供給温度は、後述する小径伝熱管２４ａの温度計指示値に基き、制御弁Ｖ７およびＶ８の開度調節によって制御されるようになっている。従って、蓄熱運転時には、ブラインポンプＰ１が起動し、夜間負荷対応時にはポンプＰ２も起動することで、蓄熱槽１出口側における冷熱の一部が夜間負荷に適用されることになる。
【００４２】
すなわち、夜間の冷熱蓄熱運転時における夜間の熱負荷に対応する蓄熱・熱負荷対応同時運転では、図６に示すように蓄熱槽１から流出した伝熱流は、ブラインポンプＰ１によって熱交換器２８側の分岐点Ｂ２に至る。伝熱流体の一部は、その分岐点Ｂ２から循環ポンプＰ２を介し小径配管２４ａを通って熱交換器２８へ供給される。
【００４３】
この熱交換器２８で夜間負荷に供した伝熱流体は、循環管路２５ｄを通り、バイパス管２７からの伝熱流体と合流した後、循環管路２５ｃに至り、熱源機側へ戻る。循環管路２５ｄの伝熱流体の一部は制御弁Ｖ８側へ流れて、制御弁Ｖ７側からの伝熱流体と分岐点Ｂ３にて合流し、循環ポンプＰ２へ循環される。
【００４４】
更に、図７に示す昼間の冷房あるいは放熱運転時における昼間の熱負荷に対応する冷房あるいは放熱運転では、図２、図３に示すように蓄熱槽１あるいは熱源機２０から流出した伝熱媒体は、ブラインポンプＰ１によって熱交換器２８側の分岐点Ｂ２に至る。
【００４５】
ここで、伝熱流体の全量は、制御弁Ｖ５を介し熱交換器２８で昼間に熱負荷に供した後、循環管路２５ｄ，２５ｃを介して熱源機側へ戻るが、図７に示すＡ部の伝熱流体の流れとしては、図２，図３，図４で説明した熱源機・蓄熱槽併用運転時、蓄熱槽単独運転時、熱源機単独運転時のいずれの場合も同様の流れとなる。この場合は、熱負荷が夜間負荷と比較して大きいために小径配管ではなく、大径配管２５ｂを介して運転される。
【００４６】
そして、図８に示す夜間負荷がない場合の夜間蓄熱運転では、制御弁Ｖ５，Ｖ７，Ｖ８の閉止、制御弁Ｖ６の全開によって伝熱流体全量は、バイパス管２７を介して循環管路２５ｃへ至り、熱源機側へ戻ることになる。
【００４７】
従って、上記の実施形態においては、この装置を冷房、冷凍装置に適用した例を示し、熱使用機器における熱交換器へ冷熱を伝える場合を示したが、本発明のカプセル式潜熱蓄熱システムは、これに限定されることなく、他の冷熱利用装置にも適用できる他、熱使用機器を太陽熱装置や、暖房熱源供給装置として、そこから熱使用機器に於ける熱交換器へ温熱を伝えるような装置にも、このカプセル式潜熱蓄熱システムを適用でき、蓄熱時には、蓄熱槽内に潜熱が蓄熱され、放熱時には熱使用機器の熱交換器へ温熱が放熱される。
【００４８】
勿論、温熱を対象とする場合には、小球状蓄熱体１８内に封入された蓄熱材は、相変化温度で融解した時に蓄熱し、凝固した時に凝固潜熱を放出する。
【００４９】
【発明の効果】
以上詳述した如く、本発明によると次の様な効果を奏する。
【００５０】
即ち、請求項１によると、夜間の熱負荷対応時には制御弁の開度を上記熱負荷に応じて制御し、蓄熱・熱負荷対応同時運転を行なうようにすることで、夜間負荷対応専用の配管や熱源機及び熱交換器等の設置が不要となる。
【００５１】
また請求項２によると、夜間負荷のような小負荷に対応するための小径配管を併設することにより、安定で適切な夜間負荷供給温度制御が可能となる。このことにより、例えば、冷熱供給の場合では、氷点下温度の供給を避けることができ、即ち，熱交換器での２次側冷水のリスクの軽減が図れるなどの効果を奏する。
【図面の簡単な説明】
【図１】本発明の第１実施形態に係る夜間の蓄熱運転時において夜間の熱負荷に対応する蓄熱・熱負荷対応同時運転時における説明図である。
【図２】同じく、熱負荷のピーク期に蓄熱槽と熱源機を併用運転している放熱運転時の説明図である。
【図３】同じく、蓄熱槽単独運転における放熱運転時の説明図である。
【図４】同じく、熱源機単独運転における冷房運転時の説明図である。
【図５】同じく、夜間の蓄熱運転時、夜間負荷がない場合における説明図である。
【図６】本発明の第２実施形態に係る夜間の蓄熱運転時において夜間の熱負荷に対応するため蓄熱・熱負荷対応同時運転とし、且つ熱交換器への供給温度を小径管部にて制御する場合の説明図である。
【図７】同じく、昼間の冷房あるいは放熱運転時の小径配管部回りの説明図である。
【図８】同じく、夜間負荷がない場合の夜間蓄熱運転時の小径配管部回りの説明図である。
【図９】本発明に係るカプセル式蓄熱槽の実施例であって、（Ａ）、（Ｂ）は円筒形胴体のカプセル式蓄熱槽の一部断面を示す側面図、（Ｃ）は矩形胴体のカプセル式蓄熱槽の斜視図である。
【図１０】（Ａ），（Ｂ）は、夜間負荷に対応するための従来の蓄熱システムの説明図である。
【図１１】（Ａ），（Ｂ）は、夜間負荷に対応するための従来の蓄熱システムの説明図である。
【符号の説明】
１                      蓄熱槽（カプセル式蓄熱槽）
２                      胴体
４，５                  胴体蓋
６，８                  接続口
１０，１２              分散器
１６                    胴体内部
１８                    小球状蓄熱体
２０                    冷熱源機
２２                    冷凍装置
２４ａ                  小径管路（小径伝熱管）
２５ａ〜２５ｄ          循環管路
２６                    冷熱使用機器
２７                    バイパス管
２８                    熱交換器
３０，３１，３２        温度センサ
Ｂ１，Ｂ２，Ｂ３        分岐点
Ｐ１，Ｐ２              ブラインポンプ
Ｐ３                    ポンプ
Ｖ１，Ｖ２              開閉弁
Ｖ３，Ｖ４，Ｖ５        制御弁
Ｖ６，Ｖ７，Ｖ８        制御弁
【図１】
2005069494.tif 000003
【図２】
2005069494.tif 000004
【図３】
2005069494.tif 000005
【図４】
2005069494.tif 000006
【図５】
2005069494.tif 000007
【図６】
2005069494.tif 000008
【図７】
2005069494.tif 000009
【図８】
2005069494.tif 000010
【図９】
2005069494.tif 000011
【図１０】
2005069494.tif 000012
【図１１】
2005069494.tif 000013